(57)【要約】【課題】  作業台を組み立てたままの状態でも、また、折り畳んだ状態でも台車などを不要とし、一人で容易に移動でき、運搬の作業性を向上できる可搬式作業台を得る。【解決手段】  上部に手摺支柱４を延設した一対の支柱脚１間に複数の踏桟２を適宜間隔で取り付けて梯子枠３を形成し、この梯子枠３の一対を対向させ上端を相互に回動自在に軸着し、支柱脚１の上部位置で梯子枠３間に踏板ユニット６を折り畳み自在に掛け渡し、手摺支柱４の上部に、一対の梯子枠３のそれぞれの外方に向けて突出する手摺枠８，９を折り畳み自在に取り付けた可搬式作業台において、前記支柱脚１の下部に移動用の車輪１５ａ，１５ｂを設けた。【選択図】        図１
2005273304.tif 000002
【特許請求の範囲】
【請求項１】
上部に手摺支柱を延設した一対の支柱脚間に複数の踏桟を適宜間隔で取り付けて梯子枠を形成し、この梯子枠の一対を対向させ上端を相互に回動自在に軸着し、支柱脚の上部位置で梯子枠間に踏板ユニットを折り畳み自在に掛け渡し、手摺支柱の上部に、一対の梯子枠のそれぞれの外方に向けて突出する手摺枠を折り畳み自在に取り付けた可搬式作業台において、前記支柱脚の下部に移動用の車輪を設けたことを特徴とする可搬式作業台。
【請求項２】
前記車輪は対向する梯子枠のうちの、梯子枠を構成する一方の支柱脚には外側に突出するように取り付け、他方の支柱脚には内側に突出するように取り付けることを特徴とする請求項１記載の可搬式作業台。
【発明の詳細な説明】
【技術分野】
【０００１】
この発明は、建築工事現場、建築物の天井や壁面などの内外装作業、電気配線作業などの高所作業に使用する可搬式作業台に関するものである。
【背景技術】
【０００２】
作業台として、従来、周知のように複数の踏桟を適宜間隔で取り付けた梯子状の一対の脚部の上端を回動自在に軸着し、軸着部である最上段の部分に踏板を設け、軸着部を回動することで一対の脚部を開閉すると同時に踏板を折り畳みまたは開いて使用し、または不使用時に収納するようにしたものがあるが、さらに、踏板に立って作業するときに、転落などの危険を防止するための手摺を設けた作業台がある。
【０００３】
これは、例えば図４、図５に示すように、一対の梯子枠３と、この梯子枠３間に折り畳み自在に架け渡した踏板ユニット６と、一対の梯子枠３の上部に折り畳み自在にそれぞれ取り付けた手摺枠８，９とで脚立状の作業台５を構成する。
【０００４】
前記梯子枠３は、一対の支柱脚１，１の間に適宜間隔で複数本の踏桟２を架け渡し、支柱脚１の上端から手摺支柱４を上方に向けて延設したもので、支柱脚１、手摺支柱４ともに材質としては例えばアルミニウム合金を使用し、断面コ字形に形成した。
【０００５】
支柱脚１は上部主脚１ａと下部主脚１ｂとに分割し、上部主脚１ａの下端と下部主脚１ｂの上端とを連結金具１０で回動自在に連結し、下部主脚１ｂを上部主脚１ａに対して上方に回動自在に組み合わせた。
【０００６】
支柱脚１の上端部に位置させて、対向する支柱脚１，１の間に踏板ユニット６を回動自在に取り付ける。この踏板ユニット６は、踏板６ａと、この踏板６ａを下方から支承するステイ６ｂとで構成し、ステイ６ｂは一端を踏板６ａの下部のほぼ中央位置に回動自在に軸着し、他端を支柱脚１の上端部または手摺支柱４の下端部、または支柱脚１と手摺支柱４との境界部に取付金具で回動自在に軸着する。
【０００７】
踏板６ａは、ステイ６ｂが重合されない側の端部を、取付金具で支柱脚１の上端部または手摺支柱４の下端部、または支柱脚１と手摺支柱４との境界部に回動自在に軸着する。
【０００８】
手摺支柱４，４の上端部は突き合わせて、矩形状の回転金具１１で回動自在に結合する。図中１４は支柱脚１の下部に伸張自在に取り付けた延長脚を示す。
【０００９】
作業台５が使用される状態では、図４、図５に示すように手摺枠本体１２が手摺支柱４の先端から水平に突出し、手摺枠本体１２の先端が手摺支柱４に固定されている。
【００１０】
ところで、図６に示すようにこのような作業台５を複数設置し、作業台５の踏板６ａに中間足場板７である渡板を架け渡し作業台５を連結して使用することもあり、この場合は、踏板６ａから中間足場板７への移動の妨げにならないように中間足場板７が連結される側の手摺枠８（９）を下方に折り畳んで収納状態とする。
【００１１】
また、作業台５を運搬、保管する場合なども、前記と同様にして手摺枠８，９を下方に折り畳んだうえで、さらに図７に示すように連結金具１０を介して下部主脚１ｂを上部主脚１ａの側に折り畳み手摺支柱４と重合させる。また、踏板ユニット６も梯子枠３との軸着部を中心にして上方に回動し、対向する梯子枠３との間にこれと平行に折り畳まれる。
【００１２】
この状態で手摺枠８，９は手摺支柱４の内側に納まって、支柱脚１で挟まれた状態となり、移動する場合は、この折り畳んだ状態で抱えるようにして持ち運ぶか、台車に載せて運搬する。
【００１３】
【特許文献１】特開２００３−７４２９号公報
【発明の開示】
【発明が解決しようとする課題】
【００１４】
前記のような構成の可搬式作業台では、移動の際、抱えるようにして持ち運ぶ方法では労力を要し、場合によっては一人では移動することが困難であり作業性がよくない。また、台車に載せる方法では別途台車を必要とするだけでなく、台車への積み下ろしにも時間と労力を要する。
【００１５】
支柱脚を折り畳まないでそのまま伸長した状態で移動することも考えられるが、この場合は、一人での運搬はできない。
【００１６】
本発明の目的は前記従来例の不都合を解消するものとして、作業台を組み立てたままの状態でも、また、折り畳んだ状態でも台車などを不要とし、一人で容易に移動でき、作業性を向上できる可搬式作業台を提供することにある。
【課題を解決するための手段】
【００１７】
本発明は前記従来例の不都合を解消するため、請求項１に記載の発明は、上部に手摺支柱を延設した一対の支柱脚間に複数の踏桟を適宜間隔で取り付けて梯子枠を形成し、この梯子枠の一対を対向させ上端を相互に回動自在に軸着し、支柱脚の上部位置で梯子枠間に踏板ユニットを折り畳み自在に掛け渡し、手摺支柱の上部に、一対の梯子枠のそれぞれの外方に向けて突出する手摺枠を折り畳み自在に取り付けた可搬式作業台において、前記支柱脚の下部に移動用の車輪を設けたことを要旨とするものである。
【００１８】
請求項１記載の本発明によれば、作業台を移動するときは、車輪を接地した状態で梯子枠の箇所などを持って引っ張り、または押せば、車輪の転動によって作業台はわずかな力で簡単に移動する。よって、一人でも容易に移動できる。
【００１９】
請求項２に記載の発明は、前記車輪は対向する梯子枠のうちの、梯子枠を構成する一方の支柱脚には外側に突出するように取り付け、他方の支柱脚には内側に突出するように取り付けることを要旨とするものである。
【００２０】
請求項２記載の本発明によれば、支柱脚を折り畳まない状態で移動する場合は、外側に突出している車輪を接地させて、他方の支柱脚を持ち上げて押せば、容易に移動できる。また、梯子枠を折り畳んだ状態で移動する場合は、支柱脚が伸長した状態のときに内側に突出していた車輪が、支柱脚を折り畳むことによって外側に突出するから、この車輪を使用し接地させて引っ張れば、容易に移動できる。
【発明を実施するための最良の形態】
【００２１】
以下、図面についてこの発明の実施の形態を詳細に説明する。図１はこの発明の可搬式作業台の実施形態を斜視図で、本発明の可搬式作業台の全体の基本構成は図４、図５に示した従来例と同様であるから、同一の構成要素には同一の参照符号を付して詳細な説明は省略する。
【００２２】
本発明の可搬式作業台５も、一対の梯子枠３と、この梯子枠３間に折り畳み自在に架け渡した踏板ユニット６と、一対の梯子枠３の上部に折り畳み自在にそれぞれ取り付けた手摺枠８，９とで構成する。
【００２３】
梯子枠３は従来と同様に一対の支柱脚１，１の間に適宜間隔で複数本の踏桟２を架け渡し、支柱脚１の上端から手摺支柱４を上方に向けて延設したもので、支柱脚１、手摺支柱４ともに材質としては例えばアルミニウム合金を使用し、断面コ字形に形成した。
【００２４】
かかる構成の可搬式作業台において、延長脚１４の下端に移動用の車輪１５ａ，１５ｂを取り付ける。この場合、一対の梯子枠３のうち、一方の梯子枠３の支柱脚４については、これに取り付ける車輪１５ａを支柱脚１（延長脚１４）の外側に突出するように固定の方向を設定する。また、他方の梯子枠３の支柱脚４については、これに取り付ける車輪１５ｂを支柱脚１（延長脚１４）の内側に突出するように固定の方向を設定する。
【００２５】
そして、いずれの車輪１５ａ，１５ｂも図１に示すように対向する梯子枠３を開いて作業台５を立てた状態では接地しないように、上方に向く角度をもって延長脚１４に取り付ける。
【００２６】
次に、作業台５を移動する方法を説明する。作業台５は組み立てたままの状態でも移動ができ、図２に示すように内側に突出するように車輪１５ｂを取り付けた側の梯子枠３の下部を持ち上げれば、他方の梯子枠３に外側に突出するように取り付けた車輪１５ａが接地し、作業台５の全体が接地し車輪１５ａの方向に多少傾斜する。
【００２７】
よって、一方の梯子枠３の下部を持ち上げたままのこの状態で、作業台５を前方に押せば、接地している車輪１５ａが転動するから、一人でも容易に作業台５を移動できる。
【００２８】
作業台５を折り畳んだ状態で移動するには、前記した図７に示すように作業台５の全体を二つ折りに折り畳めば、梯子枠３を伸長した状態で内側に突出していた車輪１５ｂが外側に突出するから、この状態で図３に示すようにこの外側に突出した車輪１５ｂを接地させ、作業台５の折り畳み箇所を手で持って引っ張れば、車輪１５ｂが転動するから一人でも簡単に作業台５を移動できる。
【図面の簡単な説明】
【００２９】
【図１】本発明の可搬式作業台の実施形態を示す組み立てた状態の斜視図である。
【図２】本発明の可搬式作業台の実施形態を示す組み立てた状態で移動する場合の斜視図である。
【図３】本発明の可搬式作業台の実施形態を示す折り畳んだ状態で移動する場合の側面図である。
【図４】従来の可搬式作業台の斜視図である。
【図５】従来の可搬式作業台の側面図である。
【図６】従来の可搬式作業台の中間足場板を連結した状態の斜視図である。
【図７】従来の可搬式作業台の折り畳んだ状態の側面図である。
【符号の説明】
【００３０】
１  支柱脚
１ａ  上部主脚
１ｂ  下部主脚
２  踏桟
３  梯子枠
４  手摺支柱
５  作業台
６  踏板ユニット
６ａ  踏板
６ｂ  ステイ
７  中間足場板
８  手摺枠
９  手摺枠
１０  連結金具
１１  回転金具
１２  手摺枠本体
１３  ステイ
１４  延長脚
１５ａ，１５ｂ  車輪
【図１】
2005273304.tif 000003
【図２】
2005273304.tif 000004
【図３】
2005273304.tif 000005
【図４】
2005273304.tif 000006
【図５】
2005273304.tif 000007
【図６】
2005273304.tif 000008
【図７】
2005273304.tif 000009